(57)【要約】【課題】特性に応じた、安定した高精度な照度検出を行うこと。【解決手段】切替部によって照度の検出範囲を切替可能な照度センサからの信号に基づいて第１の処理および第２の処理を行うために、切替制御部が、第１の処理に対応する第１のサンプリング間隔と、第２の処理に対応し、第１のサンプリング間隔よりも短い第２のサンプリング間隔とを含んだタイミング情報に基づいて上記の検出範囲の切替周期を決定し、決定した切替周期に基づく検出範囲の切替および信号の取得を、切替部およびＡＤ値取得部へ指示するように映像処理回路を構成する。【選択図】        図２
2012220682.tif 000002
【特許請求の範囲】
【請求項１】
照度の検出範囲を切替可能な照度センサからの信号に基づいて第１の処理および第２の処理を行う映像処理回路であって、
前記第１の処理に対応する第１のサンプリング間隔と、前記第２の処理に対応し、前記第１のサンプリング間隔よりも短い第２のサンプリング間隔とを含んだタイミング情報に基づいて前記検出範囲の切替周期を決定し、決定した前記切替周期を前記照度センサへ指示する指示手段と、
前記タイミング情報に基づいて前記信号を取得する取得手段と
を備えたことを特徴とする映像処理回路。
【請求項２】
前記指示手段は、
前記第１のサンプリング間隔を１周期としたうえで、前記第１のサンプリング間隔に対応する取得タイミングから前記第２のサンプリング間隔に対応する取得タイミングまでを前記第１の処理に対応する前記検出範囲とし、前記１周期の残りを前記第２の処理に対応する前記検出範囲とする前記切替周期を指示することを特徴とする請求項１に記載の映像処理回路。
【請求項３】
前記タイミング情報は、
前記第１のサンプリング間隔に対応する第１の待ち時間と、前記第２のサンプリング間隔に対応する第２の待ち時間と
をさらに含み、
前記取得手段は、
前記第１のサンプリング間隔に対応する取得タイミングから前記第１の待ち時間の経過後に前記信号を取得し、前記第２のサンプリング間隔に対応する取得タイミングから前記第２の待ち時間の経過後に前記信号を取得することを特徴とする請求項１または２に記載の映像処理回路。
【請求項４】
前記指示手段は、
外部装置から前記タイミング情報の再設定値を受け付けた場合には、当該再設定値に基づいて前記タイミング情報の該当する部分を再設定することを特徴とする請求項１、２または３に記載の映像処理回路。
【請求項５】
前記タイミング情報を入力映像の入力源ごとに記憶する入力源別記憶手段
をさらに備え、
前記指示手段は、
外部装置から前記入力映像の前記入力源が通知された場合には、前記入力源別記憶手段から当該入力源に対応する前記タイミング情報を取得したうえで、当該タイミング情報に基づいて前記切替周期を決定することを特徴とする請求項１〜４のいずれか一つに記載の映像処理回路。
【請求項６】
前記照度センサと、
請求項１〜５のいずれか一つに記載の映像処理回路と
を備えたことを特徴とする映像表示装置。
【発明の詳細な説明】
【技術分野】
【０００１】
本発明は、外光の照度に応じて映像を補正する映像処理回路および映像表示装置に関する。
【背景技術】
【０００２】
従来、自動車のカーナビゲーションシステムなどに備えられ、目的地までのナビゲーション情報やＤＴＶ（Digital  Television）放送、あるいは車載カメラの撮像映像などを、ディスプレイに対して表示する映像表示装置が知られている。
【０００３】
そして、かかる映像表示装置には、ディスプレイが外光の照射を受けた場合に視認性確保を目的として映像を補正する技術や、ディスプレイの近傍の明るさに応じてバックライトを調光する「ディマー制御」と呼ばれる技術が用いられている。
【０００４】
かかる映像の補正や「ディマー制御」は、ディスプレイの近傍に配置された照度センサの検出値に基づき、映像表示装置に備えられた映像処理回路によって行われるのが一般的である。
【０００５】
なお、映像の補正は、直射日光のような高照度の外光を検出するために、広い照度検出レンジが必要であるという特性を有する。また、「ディマー制御」においては、通常の環境光のような低照度の外光を検出するために、狭い照度検出レンジで足りるという特性を有する。
【０００６】
したがって、照度センサに接続される抵抗の抵抗値を、映像の補正のような高照度検出時には小さくして照度検出レンジを広くし、「ディマー制御」のような低照度検出時には大きくして照度検出レンジを狭くする技術が用いられることもある（たとえば、特許文献１参照）。
【先行技術文献】
【特許文献】
【０００７】
【特許文献１】特開２００８−４１８８４号公報
【発明の概要】
【発明が解決しようとする課題】
【０００８】
しかしながら、従来技術を用いた場合、自動車の車室のように照度が頻繁に変化する環境では、上述の抵抗値の切り替えもまた頻繁に行われるため、安定した精度のよいセンサ検出値を得にくいという問題があった。
【０００９】
これらのことから、特性に応じた、安定した高精度な照度検出を行うことができる映像処理回路あるいは映像表示装置をいかにして実現するかが大きな課題となっている。
【００１０】
本発明は、上述した従来技術による問題点を解消するためになされたものであって、特性に応じた、安定した高精度な照度検出を行うことができる映像処理回路および映像表示装置に関する。
【課題を解決するための手段】
【００１１】
上述した課題を解決し、目的を達成するため、本発明は、照度の検出範囲を切替可能な照度センサからの信号に基づいて第１の処理および第２の処理を行う映像処理回路であって、前記第１の処理に対応する第１のサンプリング間隔と、前記第２の処理に対応し、前記第１のサンプリング間隔よりも短い第２のサンプリング間隔とを含んだタイミング情報に基づいて前記検出範囲の切替周期を決定し、決定した前記切替周期を前記照度センサへ指示する指示手段と、前記タイミング情報に基づいて前記信号を取得する取得手段とを備えたことを特徴とする。
【発明の効果】
【００１２】
本発明によれば、照度の検出範囲を切替可能な照度センサからの信号に基づいて第１の処理および第２の処理を行う場合に、第１の処理に対応する第１のサンプリング間隔と、第２の処理に対応し、第１のサンプリング間隔よりも短い第２のサンプリング間隔とを含んだタイミング情報に基づいて検出範囲の切替周期を決定し、決定した切替周期を照度センサへ指示し、上記のタイミング情報に基づいて信号を取得することとしたので、特性に応じた、安定した高精度な照度検出を行うことができるという効果を奏する。
【図面の簡単な説明】
【００１３】
【図１】図１は、本発明に係るセンサ制御手法の概要を示す図である。
【図２】図２は、実施例に係るＡＳＩＣの構成を示すブロック図である。
【図３】図３は、タイミング情報の設定例を示す図である。
【図４】図４は、切替制御部における切替信号送出までの動作例を示す図その１である。
【図５】図５は、切替制御部における切替信号送出までの動作例を示す図その２である。
【図６】図６は、切替制御部の収束待ちからＡＤ値取得指示にいたるまでの動作例を示す図である。
【図７】図７は、実施例に係るＡＳＩＣが実行する処理の処理手順を示すフローチャートである。
【図８】図８は、実施例に係るＡＳＩＣを搭載した映像表示装置の構成を示すブロック図である。
【図９】図９は、タイミング情報の変形例を示す図である。
【発明を実施するための形態】
【００１４】
以下に、添付図面を参照して、本発明に係るセンサ制御手法の好適な実施例を詳細に説明する。なお、以下では、本発明に係るセンサ制御手法の概要について図１を用いて説明した後に、本発明に係るセンサ制御手法を適用した映像処理回路および映像表示装置についての実施例を図２〜図９を用いて説明することとする。
【００１５】
なお、以下の説明では、ディスプレイが外光の照射の受けた場合の映像補正を「直射補正制御」と記載する。また、「ディマー制御」の特性に応じた低照度検出用の抵抗を「抵抗Ｌ」と、「直射補正制御」の特性に応じた高照度検出用の抵抗を「抵抗Ｈ」と、それぞれ記載することとする。また、かかる「抵抗Ｌ」へ切り替えられた場合のセンサ検出値を「ＡＤ１」と、「抵抗Ｈ」へ切り替えられた場合のセンサ検出値を「ＡＤ２」と、それぞれ記載することとする。
【００１６】
まず、本発明に係るセンサ制御手法の概要について図１を用いて説明する。図１は、本発明に係るセンサ制御手法の概要を示す図である。なお、同図の（Ａ）には、一定の間隔で抵抗の切り替えを行う場合のタイミングチャートを、同図の（Ｂ）には、本発明に係るセンサ制御手法におけるタイミングチャートを、それぞれ示している。
【００１７】
従来、自動車の車室のように照度が頻繁に変化する環境では、センサに接続される抵抗の切り替えもまた頻繁に行われるため、「直射補正制御」においても、「ディマー制御」においても、安定した精度のよいセンサ検出値を得にくいという問題があった。
【００１８】
ここで、照度の変化に応じて抵抗の切り替えを行うのではなく、所定の間隔で交互に切り替えを行えば、少なくとも安定した検出値を得ることができる。
【００１９】
たとえば、図１の（Ａ）に示したように、一定の取得間隔ｉＴの経過を通知する信号を、ＡＤ１あるいはＡＤ２を取得するトリガとしたうえで（図中の「ＡＤ取得間隔トリガ」参照）、かかるトリガが発生するタイミングで抵抗Ｈと抵抗Ｌとを交互に切り替えるものとする。
【００２０】
かかる場合、抵抗Ｈと抵抗Ｌとは、一定の間隔Ｔ（＝ｉＴ）で交互に切り替わるので、ＡＤ１の取得可能区間ｔ１〜ｔ２や、ＡＤ２の取得可能区間ｔ２〜ｔ３を確実に形成することができる。すなわち、少なくとも安定した検出値を得ることができる。なお、ＡＤ１およびＡＤ２は、以降、一定の取得間隔「Ｔ×２」をもって繰り返し取得されることとなる。
【００２１】
しかし、このように、「ディマー制御」の特性に応じたＡＤ１と「直射補正制御」の特性に応じたＡＤ２とを、等間隔で取得することは好ましくない。なぜなら、照度変化の生じやすい低照度の環境光を対象とする「ディマー制御」には高い応答性能が求められるが、高照度の直射日光を対象とする「直射補正制御」には「ディマー制御」程の高い応答性能は求められないからである。
【００２２】
そこで、本発明に係るセンサ制御手法では、ＡＤ１およびＡＤ２を、可変設定可能な個別の取得間隔でそれぞれ取得することとした。
【００２３】
具体的には、図１の（Ｂ）に示したように、本発明に係るセンサ制御手法では、ＡＤ１の取得間隔ｉＴ１とＡＤ２の取得間隔ｉＴ２とを個別に設けることとしたうえで、かかる取得間隔ｉＴ１と取得間隔ｉＴ２とに基づいて抵抗の切り替えを行うこととした。なお、ここで、「ｉＴ１＜ｉＴ２」であるものとする。
【００２４】
まず、図１の（Ｂ）に示したように、本発明に係るセンサ制御手法では、取得間隔ｉＴ１の経過ごとの通知信号を、「ＡＤ１取得間隔トリガ」とする（図中のｔ１、ｔ２あるいはｔ３参照）。また、取得間隔ｉＴ２の経過ごとの通知信号を、「ＡＤ２取得間隔トリガ」とする（図中のｔ４．５参照）。
【００２５】
ここで、時間ｔ１において、照度センサに接続されている抵抗（以下、「現抵抗」と記載する）は、ＡＤ２に対応する抵抗ＨからＡＤ１に対応する抵抗Ｌへ切り替えたものとする。
【００２６】
かかる場合、本発明に係るセンサ制御手法では、「ＡＤ２取得間隔トリガ」が発生していない間（図中のｔ１〜ｔ４．５参照）、「ＡＤ１取得間隔トリガ」に基づく「ＡＤ１取得トリガ」信号を通知し、かかる通知に基づいてＡＤ１を取得する。
【００２７】
そして、「ＡＤ１取得間隔トリガ」とは異なる「ＡＤ２取得間隔トリガ」が発生した時点で、現抵抗を抵抗Ｌから抵抗Ｈへと切り替える（図中のｔ４．５参照）。
【００２８】
そして、現抵抗が抵抗Ｌである場合と同様に、今度は「ＡＤ１取得間隔トリガ」が発生していない間、「ＡＤ２取得間隔トリガ」に基づく「ＡＤ２取得トリガ」信号を通知し、かかる通知に基づいてＡＤ２を取得する。そして、以降、かかる切り替えを同様に繰り返すこととなる。なお、かかる切替制御の詳細については、図４および図５を用いて後述する。
【００２９】
このように、個別の取得間隔ｉＴ１およびｉＴ２に基づいて抵抗Ｈと抵抗Ｌとを交互に切り替えることによって、ＡＤ１の取得可能区間Ｔ１をＡＤ２の取得可能区間Ｔ２よりも相対的に長く形成することができる。
【００３０】
したがって、高い応答性能が求められ、かつ、照度変化の生じやすい低照度の環境光を対象とする「ディマー制御」には長い取得可能区間Ｔ１と多くのＡＤ１取得回数を、「直射補正制御」には特性に応じた短い取得可能区間Ｔ２と少ないＡＤ２取得回数を、それぞれ割り当てることができる。
【００３１】
ところで、抵抗を切り替えた場合、ＡＤ１あるいはＡＤ２の取得にあたっては、所定の収束待ち時間を経る必要がある。これは、照度センサの出力する検出値は連続量であるアナログ値のため、抵抗の切り替えに応じて信号がなじむ（収束する）のを待ち合わせる必要があるためである。
【００３２】
そして、実際の収束待ち時間は、抵抗Ｌを抵抗Ｈへ切り替えた場合と、抵抗Ｈを抵抗Ｌへ切り替えた場合とで、それぞれ異なることが多い。したがって、ＡＤ１の取得とＡＤ２の取得とで一定の収束待ち時間を用いることは、検出値の精度を低下させるため好ましくない。
【００３３】
そこで、図１の（Ｂ）に示したように、本発明に係るセンサ制御手法では、かかる収束待ち時間についても、ＡＤ１の収束待ち時間ｗＴ１とＡＤ２の収束待ち時間ｗＴ２とを個別に設けることとした（図中のｔ２またはｔ４．５参照）。これにより、検出値の精度を高めることが可能となる。なお、収束待ち時間ｗＴ１およびｗＴ２の詳細については、図５を用いて後述する。
【００３４】
このように、本発明に係るセンサ制御手法では、ＡＤ１およびＡＤ２を、可変設定可能な個別の取得間隔でそれぞれ取得することとした。また、収束待ち時間についても、ＡＤ１の収束待ち時間ｗＴ１とＡＤ２の収束待ち時間ｗＴ２とを個別に設けることとした。したがって、本発明に係るセンサ制御手法によれば、特性に応じた、安定した高精度な照度検出を行うことができる。
【００３５】
以下では、図１を用いて説明したセンサ制御手法を適用した映像処理回路および映像表示装置についての実施例を詳細に説明する。なお、以下では、映像処理回路を、ＡＳＩＣ（Application  Specific  Integrated  Circuit）として説明することとする。
【実施例】
【００３６】
図２は、本実施例に係るＡＳＩＣ１０の構成を示すブロック図である。なお、図２では、ＡＳＩＣ１０の特徴を説明するために必要な構成要素のみを示しており、一般的な構成要素についての記載を省略している。
【００３７】
図２に示すように、ＡＳＩＣ１０は、制御部１１と、記憶部１２とを備えている。また、制御部１１は、高画質処理部１１ａと、直射補正部１１ｂと、ブレンド部１１ｃと、バックライト制御部１１ｄと、切替制御部１１ｅと、ＡＤ値取得部１１ｆと、入力映像補正部１１ｇとをさらに備えている。また、バックライト制御部１１ｄは、第１デューティ演算部１１ｄａと、第２デューティ演算部１１ｄｂと、デューティ決定部１１ｄｃとをさらに備えている。そして、記憶部１２は、タイミング情報１２ａを記憶する。
【００３８】
制御部１１は、ＡＳＩＣ１０の全体制御を行う制御部である。高画質処理部１１ａは、入力映像を高画質化したうえで、高画質化後の入力映像（以下、「高画質映像」と記載する）を直射補正部１１ｂに対して出力する処理を行う処理部である。なお、ここにいう高画質化とは、主に入力映像の輪郭補正と色彩補正を施すことを指す。
【００３９】
また、入力映像は、ＡＳＩＣ１０の外部に配置される、図示しないＣＰＵ（Central  Processing  Unit）の制御に基づいて高画質処理部１１ａ、ブレンド部１１ｃおよび第１デューティ演算部１１ｄａへ入力される。かかる点の詳細については、図８を用いて後述する。
【００４０】
直射補正部１１ｂは、高画質処理部１１ａから入力された高画質映像の視認性、階調、彩度などを補正したうえで、補正後の補正後映像をブレンド部１１ｃに対して出力する処理を行う処理部である。
【００４１】
ブレンド部１１ｃは、直射補正部１１ｂから入力された補正後映像と、高画質処理部１１ａの前段において分岐して入力された入力映像とを、ＡＤ値取得部１１ｆから入力されるＡＤ値に基づいて合成することによってブレンド映像を生成する処理を行う処理部である。
【００４２】
また、ブレンド部１１ｃは、生成したブレンド映像を入力映像補正部１１ｇに対して出力する処理を併せて行う。
【００４３】
入力映像補正部１１ｇは、ブレンド部１１ｃから入力されたブレンド映像を、後述する第１デューティ演算部１１ｄａから入力されたバックライトのデューティに応じて補正する処理を行う処理部である。具体的には、バックライトのデューティを下げた分、映像輝度を高めるといった制御を行う。
【００４４】
また、入力映像補正部１１ｇは、補正後のブレンド映像を出力映像としてディスプレイ４０に対して出力する処理を併せて行う。ディスプレイ４０は、出力映像を表示する表示部である。なお、本実施例では、かかるディスプレイ４０が、バックライト光源を備える液晶ディスプレイであるものとする。
【００４５】
バックライト制御部１１ｄは、入力映像およびＡＤ値に基づき、ディスプレイ４０が備えるバックライト光源の輝度を制御する輝度制御信号を生成し、出力する処理を行う処理部である。
【００４６】
第１デューティ演算部１１ｄａは、高画質処理部１１ａの前段において分岐して入力された入力映像を構成する画素の輝度分布を示すヒストグラムを生成のうえ解析し、かかる解析の結果に基づいて入力映像の輝度に応じたバックライトのデューティを算出する処理を行う処理部である。
【００４７】
また、第１デューティ演算部１１ｄａは、算出したバックライトのデューティを、入力映像補正部１１ｇおよびデューティ決定部１１ｄｃに対して出力する処理を併せて行う。
【００４８】
第２デューティ演算部１１ｄｂは、ＡＤ値取得部１１ｆの後段において分岐して入力されたＡＤ値に基づき、照度が低いほどバックライトのデューティを低下させるといった「ディマー制御」に対応するデューティの算出を行う処理部である。また、第２デューティ演算部１１ｄｂは、算出したバックライトのデューティを、デューティ決定部１１ｄｃに対して出力する処理を併せて行う。
【００４９】
デューティ決定部１１ｄｃは、第１デューティ演算部１１ｄａから入力されたデューティと、第２デューティ演算部１１ｄｂから入力されたデューティとに基づき、最終的な出力デューティを決定する処理を行う処理部である。
【００５０】
かかる出力デューティの決定は、双方の入力デューティを掛け合わせることなどによって行われる。たとえば、第１デューティ演算部１１ｄａからの入力デューティが７０％であり、第２デューティ演算部１１ｄｂからの入力デューティが６０％である場合、双方を掛け合わせることとすれば、最終的な出力デューティは４２％（＝７０％×６０％）となる。なお、このとき、出力デューティには下限値が設けられることが好ましい。
【００５１】
また、デューティ決定部１１ｄｃは、決定した出力デューティを含めた輝度制御信号を生成し、ディスプレイ４０に対して出力する処理を併せて行う。
【００５２】
照度センサ３０は、ＡＳＩＣ１０外部のディスプレイ４０の近傍などに配置され、かかるディスプレイ４０の近傍などの照度をアナログ値で検出する検出デバイスである。
【００５３】
切替部３１は、抵抗Ｈおよび抵抗Ｌと、スイッチＳＷ１およびＳＷ２とを備え、切替制御部１１ｅからの切替信号に基づき、スイッチＳＷ１およびＳＷ２を用いて抵抗Ｈと抵抗Ｌとを切り替える切替デバイスである。なお、かかる点の詳細については、図４を用いて後述する。
【００５４】
また、ここでは、照度センサ３０と切替部３１とを分離した構成例を示しているが、切替部３１を照度センサ３０へ含めることとしてもよい。かかる場合、ＡＳＩＣ１０からは、照度センサ３０と切替部３１とは、併せてひとつの検出デバイスとみることができる。
【００５５】
切替制御部１１ｅは、記憶部１２のタイミング情報１２ａに基づいて抵抗の切り替えを指示する切替信号を切替部３１に対して出力する処理を行う処理部である。また、切替制御部１１ｅは、ＡＤ値取得部１１ｆに対してＡＤ値の取得タイミングを通知する。
【００５６】
ＡＤ値取得部１１ｆは、切替制御部１１ｅから通知された取得タイミングにおいて、切替部３１を介した照度センサ３０の検出値を取得し、かかる検出値をアナログ値からデジタル値（ＡＤ値）へ変換したうえで、ブレンド部１１ｃに対して出力する処理を行う処理部である。また、ブレンド部１１ｃへの出力系統は、ＡＤ値取得部１１ｆの後段において分岐しており、ＡＤ値はバックライト制御部１１ｄの第２デューティ演算部１１ｄｂに対しても出力される。
【００５７】
記憶部１２は、不揮発性メモリ、レジスタといった記憶デバイスで構成される記憶部であり、タイミング情報１２ａを記憶する。タイミング情報１２ａは、取得間隔や収束待ち時間（図１参照）といったＡＤ値の取得に関するパラメータ情報である。
【００５８】
ここで、タイミング情報１２ａの具体的な設定例について、図３を用いて説明する。図３は、タイミング情報１２ａの設定例を示す図である。
【００５９】
図３の（Ａ）に示したように、タイミング情報１２ａは、「カウンタ起点差ｔｇ」項目を含んだ情報である。「カウンタ起点差ｔｇ」項目は、ＡＤ１の取得間隔をカウントする起点と、ＡＤ２の取得間隔をカウントする起点との差分値が格納される項目である。
【００６０】
ここで、抵抗を切り替えて一つの照度センサ３０を用いる場合、少なくともＡＤ１の取得およびＡＤ２の取得が競合することを避ける必要がある。かかる「カウンタ起点差ｔｇ」項目は、かかる競合をさけるための時間的な差分量として設定される。
【００６１】
なお、図３の（Ａ）には、かかる「カウンタ起点差ｔｇ」項目が「１５ｍｓ」と設定されている例を示している。かかる設定例における具体的な動作については、図４を用いて後述する。
【００６２】
また、図３の（Ｂ）に示したように、タイミング情報１２ａは、「ＡＤ種別」項目と、「パラメータ名」項目と、「値」項目とを含んだ情報である。「ＡＤ種別」項目は、「ＡＤ１」、「ＡＤ２」といったＡＤ種別が格納される項目である。タイミング情報１２ａは、かかるＡＤ種別ごとのレコードを設定することができる。
【００６３】
なお、図３の（Ｂ）には、「ＡＤ１」のようなテキスト値が格納されている例を示しているが、これに限定されるものではない。かかる点は、後述する他の項目についても同様とする。
【００６４】
「パラメータ名」項目は、ＡＤ値の取得に関する各パラメータの識別子が格納される項目である。たとえば、図３の（Ｂ）には、ＡＤ種別が「ＡＤ１」の場合の「取得間隔ｉＴ１」および「収束待ち時間ｗＴ１」と、ＡＤ種別が「ＡＤ２」の場合の「取得間隔ｉＴ２」および「収束待ち時間ｗＴ２」とが少なくとも定義されている例を示している。
【００６５】
「値」項目は、各パラメータ値が格納される項目である。たとえば、図３の（Ｂ）には、「取得間隔ｉＴ１」に「３０ｍｓ」が、「収束待ち時間ｗＴ１」に「５ｍｓ」が、「取得間隔ｉＴ２」に「６０ｍｓ」が、「収束待ち時間ｗＴ２」に「１０ｍｓ」が、それぞれ格納されている例を示している。
【００６６】
なお、上述の競合を避ける場合、「取得間隔ｉＴ１」および「取得間隔ｉＴ２」をそれぞれカウントする起点を、「カウンタ起点差ｔｇ」項目の値を用いてずらすこととするならば、「取得間隔ｉＴ１」または「取得間隔ｉＴ２」の一方が他方の倍数であれば足りる。したがって、図３に示した「取得間隔ｉＴ１」に「３０ｍｓ」が、「取得間隔ｉＴ２」に「６０ｍｓ」が、それぞれ格納されているような設定が好ましい。
【００６７】
なお、タイミング情報１２ａは、ＡＳＩＣ１０の初期稼動時などに、上述のＣＰＵからロードされるパラメータ通知などに基づいて格納することができる。また、実験などに基づいて導き出した既定パラメータをあらかじめ静的に格納しておいてもよい。あるいは、エンドユーザの入力操作などに基づいて適宜可変設定を可能としてもよい。
【００６８】
以下の説明では、タイミング情報１２ａの各パラメータの具体的な数値を示す場合には、図３において示した数値例を用いることとする。
【００６９】
次に、切替制御部１１ｅにおける切替信号送出までの動作例について、図４を用いて説明する。図４は、切替制御部１１ｅにおける切替信号送出までの動作例を示す図その１である。
【００７０】
図４の（Ａ）に示したように、切替制御部１１ｅは、取得間隔ｉＴ１のカウントを「ｉＴ１カウンタ」によって行うとともに、取得間隔ｉＴ２のカウントを「ｉＴ２カウンタ」によって行う。かかる両カウンタは、クロックパルスなどを用いることによって実現することができる。
【００７１】
たとえば、図４の（Ａ）に示したように、切替制御部１１ｅは、時間ｔ０において「ｉＴ１カウンタ」によるカウントを開始したものとする。かかる場合、切替制御部１１ｅは、タイミング情報１２ａの「カウンタ起点差ｔｇ」項目を参照し、「１５ｍｓ」（図３参照）後の時間ｔ１において「ｉＴ２カウンタ」によるカウントを開始する。
【００７２】
そして、図４の（Ａ）に示したように、切替制御部１１ｅは、「ｉＴ１カウンタ」が取得間隔ｉＴ１である「３０ｍｓ」（図３参照）をカウントし始めるごとに、言い換えるなら、ｔ０の起点ならびに「３０ｍｓ」が経過するごとに、「ＡＤ１取得間隔トリガ」の発生を検出する（図４の（Ａ）のｔ０、ｔ２およびｔ３参照）。
【００７３】
また、同様に、切替制御部１１ｅは、「ｉＴ２カウンタ」が取得間隔ｉＴ２である「６０ｍｓ」（図３参照）をカウントし始めるごとに、言い換えるなら、ｔ１の起点ならびに「６０ｍｓ」が経過するごとに、「ＡＤ２取得間隔トリガ」の発生を検出する（図４の（Ａ）のｔ１およびｔ４参照）。
【００７４】
そして、切替制御部１１ｅは、かかる「ＡＤ１取得間隔トリガ」または「ＡＤ２取得間隔トリガ」の発生に基づき、抵抗の切替信号を出力することとなる。具体的には、図４の（Ｂ）に示したように、「ＡＤ１取得間隔トリガ」の発生を検出する時間ｔ０、ｔ２またはｔ３においては、切替制御部１１ｅは、抵抗Ｈを抵抗Ｌへ切り替える切替信号（図中の「Ｌ」参照）を切替部３１のスイッチＳＷ１およびＳＷ２に対して出力する。
【００７５】
そして、図４の（Ｂ）に示したように、かかる切替信号を受けたスイッチＳＷ１およびＳＷ２は、照度センサ３０（図示せず）の検出経路を、抵抗Ｌが接続された経路、すなわち、ＡＤ１の検出経路へと切り替える。これにより、ＡＤ値取得部１１ｆは、ＡＤ値としてＡＤ１の入力が可能となる。
【００７６】
また、図４の（Ｃ）に示したように、「ＡＤ２取得間隔トリガ」の発生を検出する時間ｔ１またはｔ４においては、切替制御部１１ｅは、抵抗Ｌを抵抗Ｈへ切り替える切替信号（図中の「Ｈ」参照）を切替部３１のスイッチＳＷ１およびＳＷ２に対して出力する。
【００７７】
そして、図４の（Ｃ）に示したように、かかる切替信号を受けたスイッチＳＷ１およびＳＷ２は、照度センサ３０（図示せず）の検出経路を、抵抗Ｈが接続された経路、すなわち、ＡＤ２の検出経路へと切り替える。これにより、ＡＤ値取得部１１ｆは、ＡＤ値としてＡＤ２の入力が可能となる。
【００７８】
ところで、図４の（Ａ）の二点鎖線の閉曲線１００に囲まれた部分に示したように、「ＡＤ１取得間隔トリガ」の発生を検出する時間ｔ３においては、現抵抗は抵抗Ｌであるため、切替制御部１１ｅは、抵抗Ｈから抵抗Ｌへの切り替えを指示する切替信号の出力を不要とすることができる。すなわち、信号の出力数を減らし、処理の効率化を図ることができる。
【００７９】
そこで、かかる点を考慮した切替制御部１１ｅにおける切替信号送出までの動作例について、図５を用いて説明する。図５は、切替制御部１１ｅにおける切替信号送出までの動作例を示す図その２である。
【００８０】
なお、図５の（Ａ）には、図４の（Ａ）に示したのと同様のタイミングチャートを示しているが、説明を分かりやすくするために、「ＡＤ２取得間隔トリガ」の発生を示すタイミングチャートを、「ＡＤ１取得間隔トリガ」の発生を示すタイミングチャートよりも上位に図示している。図５における、時間ｔ０〜ｔ４の配置位置、各矩形波の形状は、図４と同一とする。
【００８１】
まず、図５の（Ａ）に示したように、切替制御部１１ｅは、取得間隔ｉＴ１または取得間隔ｉＴ２を１周期としたうえで、かかる１周期に対応する取得間隔トリガの発生から、かかる１周期に対応しない取得間隔トリガの発生までを、かかる１周期に対応するＡＤ値の取得可能区間とすることができる。そして、１周期の残り区間を、かかる１周期に対応しないＡＤ値の取得可能区間とすることができる。
【００８２】
図５の（Ａ）を用いて具体的に説明する。たとえば、図５の（Ａ−１）に示したように、切替制御部１１ｅは、ＡＤ２に対応する取得間隔ｉＴ２を１周期とすることができる。かかる場合、図５の（Ａ−２）に示したように、切替制御部１１ｅは、時間ｔ１におけるＡＤ２取得間隔トリガの発生から時間ｔ２におけるＡＤ１取得間隔トリガの発生までをＡＤ２取得可能区間として、時間ｔ１において抵抗Ｈへの切替信号を、時間ｔ２において抵抗Ｌへの切替信号を、それぞれ出力する。
【００８３】
そして、図５の（Ａ−３）に示したように、切替制御部１１ｅは、時間ｔ２から時間ｔ４に該当する１周期の残り区間をＡＤ１取得可能区間とし、かかる区間の終点である時間ｔ４において抵抗Ｈへの切替信号を出力する。このような制御を行うことで、時間ｔ３における切替信号の出力を不要とすることができる（図中の二点鎖線の閉曲線１００に囲まれた部分参照）。
【００８４】
また、図５の（Ｂ）または（Ｃ）に示すような手順で、同様の切替制御を行うことができる。たとえば、図５の（Ｂ−ａ）に示したように、「ＡＤ１取得間隔トリガの発生からＡＤ２取得間隔トリガの発生まで」を端的にＡＤ１取得可能区間とみなして、かかる区間中を「抵抗Ｌへ切り替え」ることとしてもよい。また、この場合、ＡＤ２については、図５の（Ｂ−ｂ）に示したように、「ＡＤ２取得間隔トリガの発生からＡＤ１取得間隔トリガの発生まで」をＡＤ２取得可能区間とみなして、「抵抗Ｈへ切り替え」ればよい。
【００８５】
また、「ＡＤ１取得間隔トリガ発生」と「現抵抗＝抵抗Ｈ」との論理積をとり、結果が真であるならば「抵抗Ｌへ切り替え」ることとし（図５の（Ｃ−ａ）参照）、「ＡＤ２取得間隔トリガ発生」と「現抵抗＝抵抗Ｌ」との論理積をとり、結果が真であるならば「抵抗Ｈへ切り替え」ることとしてもよい（図５の（Ｃ−ｂ）参照）。
【００８６】
次に、切替制御部１１ｅがＡＤ値取得部１１ｆに対してＡＤ値の取得タイミングを通知するまで、すなわち、切替制御部１１ｅにおける収束待ちからＡＤ値取得指示にいたるまでの動作例について、図６を用いて説明する。図６は、切替制御部１１ｅにおける収束待ちからＡＤ値取得指示にいたるまでの動作例を示す図である。なお、図６の（Ａ）には、ＡＤ１を取得する場合を、図６の（Ｂ）には、ＡＤ２を取得する場合を、それぞれ示している。
【００８７】
図６の（Ａ）に示したように、時間ｔ１において抵抗Ｈから抵抗Ｌへの切り替えが行われたものとする。かかる場合、切替制御部１１ｅは、ＡＤ１の収束待ち時間ｗＴ１のカウントを「ｗＴ１カウンタ」によって開始する。
【００８８】
そして、「ｗＴ１カウンタ」が収束待ち時間ｗＴ１である「５ｍｓ」（図３参照）をカウントし終わった時間ｔ２において、切替制御部１１ｅは、「ＡＤ１取得トリガ」の発生を検出し、ＡＤ値取得部１１ｆに対してＡＤ１の取得タイミングを通知する。ＡＤ値取得部１１ｆは、かかるＡＤ１の取得タイミング通知に基づいてＡＤ１を取得する。
【００８９】
ここで、図６の（Ａ）に示したように、収束待ち時間ｗＴ１は、十分に収束して安定したＡＤ１を取得するためにも、実際の収束時間ｃＴ１よりも大きいことが好ましい。したがって、実験などによって抵抗Ｈから抵抗Ｌへの切り替えが行われた場合の収束時間ｃＴ１が得られたならば、かかる収束時間ｃＴ１にさらに補正時間α１を加味して収束待ち時間ｗＴ１とすればよい。
【００９０】
これにより、切替制御部１１ｅからＡＤ１の取得タイミング通知を受けたＡＤ値取得部１１ｆは、十分に収束して安定したＡＤ１を取得することができる。
【００９１】
また、図６の（Ｂ）に示したように、時間ｔ１において抵抗Ｌから抵抗Ｈへの切り替えが行われた場合についても同様である。かかる場合、切替制御部１１ｅは、ＡＤ２の収束待ち時間ｗＴ２のカウントを「ｗＴ２カウンタ」によって開始する。
【００９２】
そして、「ｗＴ２カウンタ」が収束待ち時間ｗＴ２である「１０ｍｓ」（図３参照）をカウントし終わった時間ｔ２において、切替制御部１１ｅは、「ＡＤ２取得トリガ」の発生を検出し、ＡＤ値取得部１１ｆに対してＡＤ２の取得タイミングを通知する。ＡＤ値取得部１１ｆは、かかるＡＤ２の取得タイミング通知に基づいてＡＤ２を取得する。
【００９３】
これにより、切替制御部１１ｅからＡＤ２の取得タイミング通知を受けたＡＤ値取得部１１ｆは、十分に収束して安定したＡＤ２を取得することができる。
【００９４】
なお、図６の（Ａ）の収束時間ｃＴ１、および、図６の（Ｂ）の収束時間ｃＴ２の長さにあらわれているように、抵抗Ｈから抵抗Ｌへ切り替わる場合と、抵抗Ｌから抵抗Ｈへ切り替わる場合とで、収束時間はそれぞれ異なったものとなりやすい。
【００９５】
したがって、図３を用いて上述したように、ＡＤ種別ごとに収束待ち時間を個別に設定できることは、かかる不定の収束時間というデメリットを補って、安定した精度のよいＡＤ値を取得する助けとなる。
【００９６】
なお、図６を用いて説明した、収束時間ｃＴ１およびｃＴ２、あるいは、補正時間α１およびα２を、タイミング情報１２ａに含むこととしたうえで可変設定が可能であることとしてもよい。かかる場合には、より精緻な制御が可能になるというメリットがある。
【００９７】
次に、本実施例に係るＡＳＩＣ１０が実行する処理手順について図７を用いて説明する。図７は、本実施例に係るＡＳＩＣ１０が実行する処理の処理手順を示すフローチャートである。
【００９８】
なお、以下では、ＡＳＩＣ１０が、電源オンにともなう初期稼動段階などに、上述のＣＰＵといった外部デバイスからロードされたパラメータ通知に基づいてタイミング情報１２ａを初期設定するものとする。
【００９９】
図７に示したように、ＡＳＩＣ１０は、外部デバイスからのパラメータ通知に基づき、タイミング情報１２ａを取得のうえ、記憶部１２へ格納する（ステップＳ１０１）。
【０１００】
そして、本稼動段階において、ＡＤ１取得間隔トリガまたはＡＤ２取得間隔トリガの発生を待ち合わせる（ステップＳ１０２）。ここで、いずれかの取得間隔トリガが発生したと判定された場合（ステップＳ１０２，Ｙｅｓ）、切替制御部１１ｅは、発生した取得間隔トリガが、ＡＤ１取得間隔トリガまたはＡＤ２取得間隔トリガのどちらであるかを判定する（ステップＳ１０３）。
【０１０１】
なお、ステップＳ１０２の判定条件を満たさなかった場合（ステップＳ１０２，Ｎｏ）、切替制御部１１ｅは、ステップＳ１０２の取得間隔トリガの発生待ちを繰り返す。
【０１０２】
そして、発生した取得間隔トリガがＡＤ１取得間隔トリガである場合（ステップＳ１０３，ＡＤ１）、切替制御部１１ｅは、ＡＤ１を取得するように、現抵抗を抵抗Ｌへと切り替える（ステップＳ１０４）。
【０１０３】
つづいて、切替制御部１１ｅは、ＡＤ１の取得タイミングであるか否かを判定する（ステップＳ１０５）。ここで、ＡＤ１の取得タイミングであると判定された場合（ステップＳ１０５，Ｙｅｓ）、切替制御部１１ｅは、ＡＤ値取得部１１ｆに対してＡＤ１の取得タイミングを通知し、ＡＤ値取得部１１ｆは、ＡＤ１を取得する（ステップＳ１０６）。その後、ステップＳ１０２からの処理を繰り返す。
【０１０４】
なお、ステップＳ１０５の判定条件を満たさなかった場合（ステップＳ１０５，Ｎｏ）、切替制御部１１ｅは、ステップＳ１０５の取得タイミング待ちを繰り返す。
【０１０５】
また、発生した取得間隔トリガがＡＤ２取得間隔トリガである場合（ステップＳ１０３，ＡＤ２）、切替制御部１１ｅは、ＡＤ２を取得するように、現抵抗を抵抗Ｈへと切り替える（ステップＳ１０７）。
【０１０６】
つづいて、切替制御部１１ｅは、ＡＤ２の取得タイミングであるか否かを判定する（ステップＳ１０８）。ここで、ＡＤ２の取得タイミングであると判定された場合（ステップＳ１０８，Ｙｅｓ）、切替制御部１１ｅは、ＡＤ値取得部１１ｆに対してＡＤ２の取得タイミングを通知し、ＡＤ値取得部１１ｆは、ＡＤ２を取得する（ステップＳ１０９）。そしてその後、ステップＳ１０２からの処理を繰り返す。
【０１０７】
なお、ステップＳ１０８の判定条件を満たさなかった場合（ステップＳ１０８，Ｎｏ）、切替制御部１１ｅは、ステップＳ１０８の取得タイミング待ちを繰り返す。
【０１０８】
ここで、図８を用いて、上述してきた本実施例に係るＡＳＩＣ１０を搭載した映像表示装置１についても説明しておく。図８は、本実施例に係るＡＳＩＣ１０を搭載した映像表示装置１の構成を示すブロック図である。
【０１０９】
なお、図８では、映像表示装置１の特徴を説明するために必要な構成要素のみを示しており、一般的な構成要素についての記載を省略している。
【０１１０】
また、図８では、図２に示した本実施例に係るＡＳＩＣ１０と同一の構成要素には同一の符号を付しており、以下では、図２と重複する構成要素についての説明は省略するか簡単な説明にとどめることとする。
【０１１１】
図８に示すように、映像表示装置１は、ＡＳＩＣ１０と、ＡＳＩＣ１０の外部入力デバイスであるＣＰＵ２０、照度センサ３０、切替部３１およびセレクタ７０と、ＡＳＩＣ１０の外部出力デバイスであるディスプレイ４０とを備えている。
【０１１２】
また、映像表示装置１の外部には、カメラ５０やＤＶＤ６０といった各映像ソースが配置される。なお、かかる各映像ソースは、映像表示装置１の内部に配置することとしてもよい。
【０１１３】
ＣＰＵ２０は、映像表示装置１を全体制御する中央処理ユニットである。また、ＣＰＵ２０は、電源オンなどにともなうＡＳＩＣ１０の初期稼動段階で、ＡＳＩＣ１０に対してタイミング情報に関するパラメータを通知する。なお、図示していないが、通知されたパラメータは、切替制御部１１ｅにより、記憶部１２へタイミング情報１２ａとして格納される。
【０１１４】
また、ＣＰＵ２０は、入力映像の切り替え時などに、ＡＳＩＣ１０に対して入力映像の映像種別を通知することができる。かかる映像種別には、車載カメラやナビゲーション情報といった映像ソースによる区別が含まれる。なお、以下では、映像種別が、かかる映像ソースによる区別であるものとする。
【０１１５】
また、ＣＰＵ２０は、ＡＳＩＣ１０に対してパラメータや映像種別などを通知するほかに、セレクタ７０に対して映像ソースの選択指示を通知する。
【０１１６】
セレクタ７０は、ＣＰＵ２０から通知された選択指示に基づいて映像ソースを選択し、選択した映像ソースの映像信号を、図示しないＡＳＩＣ１０の高画質処理部１１ａ、ブレンド部１１ｃおよび第１デューティ演算部１１ｄａに対して出力する。ＡＳＩＣ１０は、かかるセレクタ７０からの映像信号を直射補正することとなる。
【０１１７】
なお、図８を用いた説明で、ＡＳＩＣ１０が、ＣＰＵ２０から映像種別を受け取ることができる場合について述べたが、かかる映像種別ごとにＡＤ値の取得に関わるパラメータをタイミング情報１２ａへ格納することで、映像種別に応じたＡＤ値取得を行えるようにしてもよい。
【０１１８】
そこで、かかる場合のタイミング情報１２ａの変形例について、図９を用いて説明する。図９は、タイミング情報１２ａの変形例を示す図である。なお、図９では、図３に示したタイミング情報１２ａの設定例と重複する項目についての説明は省略するか簡単な説明にとどめることとする。
【０１１９】
図９に示したように、変形例に係るタイミング情報１２ａは、「映像種別」項目をさらに含んだ情報である。「映像種別」項目は、「カメラ」や「ナビ」といった映像種別を識別する値が格納される項目である。変形例に係るタイミング情報１２ａは、かかる映像種別ごとのレコードとして設定される。
【０１２０】
そして、図９に示したように、変形例に係るタイミング情報１２ａは、かかる映像種別ごとにＡＤ１あるいはＡＤ２の取得間隔や収束待ち時間などを個別に設定することができる。
【０１２１】
したがって、たとえば、カメラの撮像映像のように、自動車の安全性に深く関わる映像種別については、より安定した高精度なＡＤ値を取得してより高精度な映像補正を行うために厳密なパラメータのチューニングを行うことができる。また、その他の映像種別についても、その映像種別が有する特性に応じた細やかなパラメータのチューニングを行うことが可能となる。
【０１２２】
上述してきたように、本実施例では、切替制御部が、ＡＤ種別ごとのＡＤ値の取得に関するタイミング情報に基づき、ＡＤ種別に応じた間隔で、センサの抵抗の切り替えおよびＡＤ値の取得指示を行うように映像処理回路および映像表示装置を構成した。したがって、特性に応じた、安定した高精度な照度検出を行うことができる。
【産業上の利用可能性】
【０１２３】
以上のように、本発明に係る映像処理回路および映像表示装置は、特性に応じた、安定した高精度な照度検出を行いたい場合に有用であり、特に、外光の照射などによって視環境が目まぐるしく変化しやすい車載用の映像処理回路および映像表示装置への適用に適している。
【符号の説明】
【０１２４】
１    映像表示装置
１０    ＡＳＩＣ
１１    制御部
１１ａ  高画質処理部
１１ｂ  直射補正部
１１ｃ  ブレンド部
１１ｄ  バックライト制御部
１１ｄａ  第１デューティ演算部
１１ｄｂ  第２デューティ演算部
１１ｄｃ  デューティ決定部
１１ｅ  切替制御部
１１ｆ  ＡＤ値取得部
１１ｇ  入力映像補正部
１２    記憶部
１２ａ  タイミング情報
２０    ＣＰＵ
３０    照度センサ
３１    切替部
４０    ディスプレイ
５０    カメラ
６０    ＤＶＤ
７０    セレクタ
【図１】
2012220682.tif 000003
【図２】
2012220682.tif 000004
【図３】
2012220682.tif 000005
【図４】
2012220682.tif 000006
【図５】
2012220682.tif 000007
【図６】
2012220682.tif 000008
【図７】
2012220682.tif 000009
【図８】
2012220682.tif 000010
【図９】
2012220682.tif 000011